(57)【要約】  ロック装置は、外側部材１２に固定されるベース部材２２と、ベース部材２２に回転可能に支持される操作部材２０と、操作部材２０の回転に連動して固定部材のロック孔に係脱可能なロッドと、を有する。操作部材２０は、外側部材１２の表側に露出する操作部３６と、ベース部材２２に軸支される軸支部と、を有する。ベース部材２２は、外側部材１２に形成された取付縁部１２ｇに引っ掛けられるフック部５２と、外側部材１２の裏側に形成された係止縁部１２ｅに係止され、外側部材１２の裏面から離れる方向のベース部材２２の動きを規制する係止爪部５４と、を有する。
2017086427.tif 000002
【特許請求の範囲】
【請求項１】
固定部材の開口部に開閉可能に取り付けられる開閉部材をロック状態に保持可能であり、開閉部材の外側部材と内側部材の間に画成される空間に設けられるロック装置であって、
外側部材に固定されるベース部材と、
前記ベース部材に回転可能に支持される操作部材と、
前記操作部材の回転に連動して固定部材の被ロック部に係脱可能なロッドと、を有し、
前記操作部材は、
外側部材の表側に露出する操作部と、
前記ベース部材に軸支される軸支部と、を有し、
前記ベース部材は、
外側部材に形成された取付縁部に引っ掛けられるフック部と、
外側部材の裏側に形成された係止縁部に係止され、外側部材の裏面から離れる方向の前記ベース部材の動きを規制する係止爪部と、を有することを特徴とするロック装置。
【請求項２】
前記係止爪部は、前記フック部を外側部材の裏側から取付縁部に引っ掛けた状態で、係止縁部に対して外側部材の裏側から押し込まれて係止することを特徴とする請求項１に記載のロック装置。
【請求項３】
固定部材の開口部に開閉可能に取り付けられる開閉部材をロック状態に保持可能であり、開閉部材の外側部材と内側部材の間に画成される空間に設けられるロック装置であって、
内側部材に固定されるベース部材と、
前記ベース部材に回転可能に支持される操作部材と、
前記操作部材の回転に連動して固定部材の被ロック部に係脱可能なロッドと、を有し、
前記操作部材は、
外側部材の表側に露出する操作部と、
前記ベース部材に軸支される軸支部と、を有し、
前記ベース部材は、
内側部材の裏側に形成された取付縁部に引っ掛けられるフック部と、
内側部材の裏側に形成された係止縁部に係止され、内側部材の裏面から離れる方向の前記ベース部材の動きを規制する係止爪部と、を有することを特徴とするロック装置。
【請求項４】
前記係止爪部は、前記フック部を内側部材の裏側から取付縁部に引っ掛けた状態で、係止縁部に対して内側部材の裏側から押し込まれて係止することを特徴とする請求項３に記載のロック装置。
【請求項５】
前記ベース部材は、前記軸支部を回転可能に支持する軸部を有し、
前記軸部は、前記ロッドの進退方向において前記フック部および前記係止爪部の間に位置することを特徴とする請求項１から４のいずれかに記載のロック装置。
【請求項６】
前記ロッドは、外側部材と内側部材の対向方向において前記ベース部材と部分的に重なり、
前記係止爪部は、前記対向方向に延出し、
前記部分的に重なる位置での前記ロッドと前記ベース部材との前記対向方向における最短間隔は、前記係止爪部の前記対向方向の長さより小さいことを特徴とする請求項１または２に記載のロック装置。
【請求項７】
前記係止爪部は、離間して一対形成され、
前記ロッドは、一対の前記係止爪部の間に挿通されることを特徴とする請求項３または４に記載のロック装置。
【請求項８】
前記ベース部材は、前記ロッドを挿通し、前記ロッドの進退をガイドする支持孔部を有することを特徴とする請求項１から７のいずれかに記載のロック装置。
【発明の詳細な説明】
【技術分野】
【０００１】
本発明は、開閉部材に取り付けられるロック装置に関する。
【背景技術】
【０００２】
車両のグローブボックスの開口を開閉する開閉部材には、開閉部材を閉状態に保持するためのロック装置が取り付けられる。ユーザはロック装置の操作部材を操作することでロックを解除してグローブボックスを開く。【０００３】
特許文献１に開示される開閉部材のロック装置は、開閉部材に固定されるハウジングと、ハウジングに回転可能に支持されるノブと、ハウジングに回転可能に支持されるロータと、ロータにそれぞれ連結される一対のロッドとを備える。【０００４】
特許文献１に開示されるハウジングは、両側壁に形成されて撓み可能な係合爪と、両側壁に形成される突片とを有する。開閉部材への取り付けでは、ハウジングは開閉部材の表側から取付孔に挿入され、係合爪を撓ませながら取付孔を通過させ、通過後に係合爪を復元力により拡開させて、取付孔に係合させて取り付ける。ハウジングの取付完了状態では、係合爪が取付孔の裏縁に係合し、突片が取付孔の表縁に係合して、ハウジングの移動が規制されている。
【先行技術文献】
【特許文献】
【０００５】
【特許文献１】国際公開第２０１３−０１８４９６号
【発明の概要】
【発明が解決しようとする課題】
【０００６】
特許文献１に開示される技術において、ハウジングは取付孔の表側から押し込めば開閉部材に取り付けることができる。一方、ロッドは開閉部材の裏側から取り付けられるため、ロック装置の開閉部材への取付工程において、開閉部材の表側から取り付ける工程と、裏側から取り付ける工程が実行されることになり煩わしい。【０００７】
本発明はこのような課題に鑑みてなされたものであり、その目的は、開閉部材に取り付けやすいロック装置を提供することにある。
【課題を解決するための手段】
【０００８】
上記課題を解決するために、本発明のある態様は、固定部材の開口部に開閉可能に取り付けられる開閉部材をロック状態に保持可能であり、開閉部材の外側部材と内側部材の間に画成される空間に設けられるロック装置であって、外側部材に固定されるベース部材と、ベース部材に回転可能に支持される操作部材と、操作部材の回転に連動して固定部材の被ロック部に係脱可能なロッドと、を有する。操作部材は、外側部材の表側に露出する操作部と、ベース部材に軸支される軸支部と、を有する。ベース部材は、外側部材に形成された取付縁部に引っ掛けられるフック部と、外側部材の裏側に形成された係止縁部に係止され、外側部材の裏面から離れる方向のベース部材の動きを規制する係止爪部と、を有する。【０００９】
本発明の別の態様もまた、固定部材の開口部に開閉可能に取り付けられる開閉部材をロック状態に保持可能であ、開閉部材の外側部材と内側部材の間に画成される空間に設けられるロック装置である。このロック装置は、内側部材に固定されるベース部材と、ベース部材に回転可能に支持される操作部材と、操作部材の回転に連動して固定部材の被ロック部に係脱可能なロッドと、を有する。操作部材は、外側部材の表側に露出する操作部と、ベース部材に軸支される軸支部と、を有する。ベース部材は、内側部材の裏側に形成された取付縁部に引っ掛けられるフック部と、内側部材の裏側に形成された係止縁部に係止され、内側部材の裏面から離れる方向のベース部材の動きを規制する係止爪部と、を有する。
【発明の効果】
【００１０】
本発明によれば、開閉部材に取り付けやすいロック装置を提供できる。
【図面の簡単な説明】
【００１１】
【図１】第１実施例のロック装置を説明するための図である。
【図２】ロック装置の分解図である。
【図３】図３（ａ）は、ベース部材の側面図であり、図３（ｂ）は、ベース部材の裏面図である。
【図４】図４（ａ）は、図１（ｂ）に示すロック装置の線分Ａ−Ａの断面図であり、図４（ｂ）は、図１（ｂ）に示すロック装置の線分Ｂ−Ｂの断面図である。
【図５】ベース部材を開閉部材の外側部材に取り付ける工程を説明するための図である。
【図６】操作部材を開いた際にベース部材にかかる荷重について説明するための図である。
【図７】第１実施例の第１変形例のロック装置について説明するための図である。
【図８】第１実施例の第２変形例のロック装置について説明するための図である。
【図９】第２実施例のロック装置について説明するための図である。
【図１０】図９（ｂ）に示すロック装置の線分Ｄ−Ｄの断面図である。
【図１１】図９（ｂ）に示すロック装置の線分Ｅ−Ｅの断面図である。
【図１２】第２実施例の変形例のロック装置について説明するための図である。
【図１３】第２実施例の変形例のロック装置の断面図である。
【発明を実施するための形態】
【００１２】
図１は、第１実施例のロック装置１０を説明するための図である。図１（ａ）は、開閉部材を表側からみたロック装置１０および開閉部材の表面図であり、図１（ｂ）は、開閉部材を裏側からみたロック装置１０および開閉部材の裏面図である。開閉部材は、実際には２枚の板状部材を貼り合わせて、その内部の空間にロック装置１０を収容するが、図１（ｂ）はロック装置１０を覆う開閉部材の裏側の内側部材を省いて図示している。
【００１３】
開閉部材は、たとえば車両のグローブボックス用の蓋部材であり、外側部材１２と内側部材により構成される。図１（ａ）および（ｂ）の開閉部材の外側部材１２は説明の便宜上、平面形状に示されているが、実際にはグローブボックスの開口部の形状に合わせて形成され、湾曲して形成されてもよい。グローブボックスはインストルメントパネルに設けられた収納空間である凹所を有する固定部材であり、開閉部材は、グローブボックスに回動可能に取り付けられ、凹所の開口部を開閉する。開閉部材の閉状態で、外側部材１２は助手席の正面に露出し、内側部材は凹所の内部に位置する。なお、開閉部材に収納部を設けてグローブボックスそのものを開閉部材としてよく、クローブボックスの回転によりクローブボックスの収納空間を開口させてよい。
【００１４】
開閉部材の外側部材１２には、ロック装置１０を取り付けるための取付口１２ａが形成される。開閉部材に取り付けられたロック装置１０は、グローブボックスの開口部に対して開閉部材をロック状態にして閉状態に保持する。実施形態のロック装置１０は、操作部材２０を開閉部材の幅方向に操作可能とするサイド式のロック装置である。
【００１５】
ロック装置１０は、操作部材２０、ベース部材２２、回転部材２４、第１ロッド２６および第２ロッド２８を備える。ロック装置１０は、開閉部材の外側部材１２と内側部材の間に画成される収容空間に設けられる。ベース部材２２は、外側部材１２に固定される。操作部材２０は、ベース部材２２に回転可能に支持される。図１（ａ）に示すように取付口１２ａの表側に操作部材２０が露出する。ユーザは窪み部１２ｂから操作部材２０の裏側へ指を挿入し、操作部材２０を引くことでロック解除をする。外側部材１２の裏側および内側部材の裏側はロック装置１０を収容するための収容空間に位置し、外側部材１２の表側および内側部材の表側は露出する外部空間に位置する。
【００１６】
回転部材２４は、外側部材１２に回転可能に支持され、第１ロッド２６および第２ロッド２８（これらを区別しない場合、単に「ロッド」という）と連結する。ユーザの操作力は、操作部材２０から図１（ｂ）に示す第１ロッド２６へ、第１ロッド２６から回転部材２４へ、回転部材２４から第２ロッド２８へと伝達される。回転部材２４は、操作部材２０の回転に応じて回転する。ロッドは、回転部材２４の回転に連動して長手方向に進退する。ロッドは、操作部材２０の回転に連動して固定部材のロック孔に係脱、すなわち係合したり係合解除することが可能である。
【００１７】
第１ロッド２６は、外側部材１２の第１支持孔部１２ｃに挿通され、第２ロッド２８は、外側部材１２の第２支持孔部１２ｄに挿通される。図１（ｂ）では不図示である開閉部材の内側部材でロック装置１０の裏側を覆い隠すと、第１ロッド２６の先端部２６ａが外部に出た状態となり、第２ロッド２８の先端部２８ａが外部に出た状態となる。第１ロッド２６および第２ロッド２８では、グローブボックスの第１ロック孔および第２ロック孔に挿入される側を先端、回転部材２４に連結される側を基端という。
【００１８】
外側部材１２の第１支持孔部１２ｃおよび第２支持孔部１２ｄは、外側部材１２の裏面から突出した壁部に貫通して形成される。第１支持孔部１２ｃおよび第２支持孔部１２ｄの貫通孔の周縁には、ロッドに弾性的に接触して、ロッドのガタツキを抑えつつ、ロッドの移動をガイドする弾性部が設けられてよい。
【００１９】
ユーザが操作部材２０を操作すると回転部材２４が回転し、ロッドは回転部材２４の回転に応じて、固定部材であるグローブボックスに形成された第１ロック孔および第２ロック孔にそれぞれ出入りする。ロッドの先端部がグローブボックスのロック孔に入ると開閉部材がロック状態となり、ロッドがそのロック孔から出ると開閉部材が非ロック状態となる。ロッドがロック孔に入る方向をロッドの進行方向といい。ロッドがロック孔から出る方向をロッドの退行方向という。
【００２０】
なお、回転部材２４には、ロッドを進行方向に付勢するためのバネ部材（不図示）が設けられる。また、操作部材２０には、操作部材２０を閉状態に付勢する別のバネ部材（不図示）が設けられる。
【００２１】
図２は、ロック装置１０の分解図である。また、図３（ａ）は、ベース部材の側面図であり、図３（ｂ）は、ベース部材の裏面図である。また、図４（ａ）は、図１（ｂ）に示すロック装置１０の線分Ａ−Ａの断面図であり、図４（ｂ）は、図１（ｂ）に示すロック装置１０の線分Ｂ−Ｂの断面図である。図２ではロック装置１０とともに外側部材１２および内側部材１４を示す。図２に示すベース部材２２は、操作部材２０と一体化された状態、操作部材２０を軸支した状態であり、外側部材１２の取付口１２ａに取り付けられる。
【００２２】
操作部材２０は、基部３５、操作部３６、一対の軸部３８、伝達部４０、一対の側壁部４２、中間壁部４４およびキーシリンダ用孔部４６を有する。操作部３６は、平板状の基部３５に形成され、外側部材１２の表側に位置してユーザに手指を掛けられる。
【００２３】
一対の側壁部４２は、基部３５の裏面に対向して立設する。一対の軸部３８は、一対の側壁部４２に円弧状にそれぞれ形成される。一対の軸部３８は、ロッドの進退方向または車両左右方向において、操作部３６より伝達部４０に近い位置に配置される。
【００２４】
中間壁部４４は、基部３５の裏面に立設し、一対の側壁部４２を連結する。図４（ａ）に示すように中間壁部４４は、ロック装置１０の内部構造を覆い、ユーザの手指がロック装置１０の内部に入り込むことを防ぐ。
【００２５】
伝達部４０は、柱状に形成され、基部３５の裏面から立設して、図４（ａ）に示すように外側部材１２の裏側に突出する。伝達部４０は、第１ロッド２６の受け面２６ｃに係合して、操作部材２０への操作力を第１ロッド２６に伝達する。基部３５にはキーシリンダを取り付けるためのキーシリンダ用孔部４６が貫通して形成される。なお、変形例ではキーシリンダ用孔部４６は形成されず、キーシリンダが操作部材２０に設けられなくてよい。
【００２６】
ベース部材２２は、基枠部４８、挿通部５０、フック部５２、係止爪部５４、支持部５６、軸支部５７および第１ガイド部５８を有する。挿通部５０は、図３（ｂ）に示すように操作部材２０の伝達部４０を裏側に挿通するために、基枠部４８に貫通して形成される。軸支部５７は、円弧状の突起に形成され、基枠部４８の両側面に一対形成される。軸支部５７は、軸部３８に挿入されて操作部材２０を回転可能に支持する。
【００２７】
フック部５２は、取付口１２ａ側の窪み部１２ｂの取付縁部１２ｇに引っ掛かり、ベース部材２２が外側部材１２から外れることを防ぐ。フック部５２は、基枠部４８の一端に位置し、第１ロッド２６の退行方向に突出して形成される。
【００２８】
フック部５２は、図３（ａ）に示すように外側部材１２の表側と裏側で対向する表側フック部５２ａおよび裏側フック部５２ｂを有する。図４（ａ）に示すように表側フック部５２ａは、表側の取付縁部１２ｇに引っ掛かってベース部材２２が外側部材１２の裏側に外れることを防ぎ、裏側フック部５２ｂは、裏側の取付縁部１２ｇに引っ掛かってベース部材２２が外側部材１２の表側に外れることを防ぐ。表側フック部５２ａおよび裏側フック部５２ｂは取付縁部１２ｇを挟持する。
【００２９】
図２に示すように表側フック部５２ａは、略半筒形状に形成され、操作部材２０の回転軸方向において裏側フック部５２ｂより長く形成される。裏側フック部５２ｂは、操作部材２０の回転軸方向に離間して一対形成される。表側フック部５２ａは、第１ロッド２６の退行方向に、裏側フック部５２ｂより長く突出する。
【００３０】
係止爪部５４は、図４（ｂ）に示すように基枠部４８の表側に一対形成され、弾性を有して撓み可能である。支持部５６は、基枠部４８の表面から突出して形成され、係止爪部５４を支持する。係止爪部５４は、外側部材１２の面直方向、すなわち開閉部材の内側部材と外側部材１２の対向方向に延出する。係止爪部５４は、支持部５６から垂れるように形成され、外側部材１２の裏側に形成された係止縁部１２ｅに係止し、外側部材１２の裏面から離れる方向のベース部材２２の動きを規制する。係止縁部１２ｅは、外側部材１２の裏面に形成された取付座部１２ｆの座面に孔状に形成される。係止爪部５４および支持部５６は、係止縁部１２ｅに挿入され、取付座部１２ｆ内の空間に収まる。
【００３１】
第１ガイド部５８は、図３（ａ）に示すように基枠部４８の裏面に突出して柱状に形成され、第１ロッド２６のスライドをガイドする。第１ガイド部５８の先端部および両側部に第１ロッド２６の各弾性片が摺動可能に弾接する。第１ガイド部５８は、第１ロッド２６の進退方向において、係止爪部５４に重なって位置する。
【００３２】
回転部材２４は、外側部材１２の中央に位置し、外側部材１２に回転可能に支持される。回転部材２４には、第１ロッド２６の基端側の第１連結部２６ｂと、第２ロッド２８の基端側の第２連結部２８ｂとが連結される。
【００３３】
第１ロッド２６および第２ロッド２８は、同じ形状であり、部品の共通化により製造コストが抑えられている。第２ロッド２８の先端部２８ａは、図２に示す内側部材１４の側壁１４ａに形成される貫通孔１４ｂから突出し、第１ロッド２６の先端部２６ａも同様に内側部材１４の側壁に形成される貫通孔から突出する。第１ロッド２６は、操作部材２０の伝達部４０に当接する受け面２６ｃを有し、伝達部４０から操作力を受けて退行する。図４（ｂ）に示すように第１ロッド２６は、ベース部材２２の第１ガイド部５８の先端部に弾接する第１弾性片２６ｄと、第１ガイド部５８の両側部に弾接する第２弾性片２６ｅとを有する。第１ロッド２６が窪み部１２ｂを避けるように湾曲して形成されることで、開閉部材を薄くできる。
【００３４】
図１（ｂ）および図４（ａ）に示すように、第１ロッド２６は、外側部材１２と内側部材１４の対向方向においてベース部材２２と部分的に重なっている。この部分的に重なる位置での第１ロッド２６とベース部材２２との対向方向における最短間隔Ｌ１は、係止爪部５４の前記対向方向の長さより小さい。より好ましくは、最短間隔Ｌ１は、取付座部１２ｆ内の空間に突出する係止爪部５４の突出長さより小さくてよい。これにより、万が一、係止爪部５４が係止を解除して係止縁部１２ｅから外れようとした場合に、係止爪部５４が係止縁部１２ｅから抜ける前にベース部材２２が第１ロッド２６に当接し、係止爪部５４の外れる動きを制限できる。
【００３５】
図５は、ベース部材２２を開閉部材の外側部材１２に取り付ける工程を説明するための図である。ベース部材２２は、操作部材２０を軸支した状態で外側部材１２の裏側から取り付けられる。なお、操作部材２０をベース部材２２に軸支させたサブアッセンブリには、操作部材２０を閉じ方向に付勢するバネ部材、操作部材２０とベース部材２２の当接を和らげるゴム製のクッションなどが組み付けられている。
【００３６】
回転部材２４、第１ロッド２６および第２ロッド２８は、サブアッセンブリと同じく外側部材１２の裏側から取り付けられるため、ロック装置１０の全ての部材を外側部材１２の裏側から取り付けることができる。これにより、取付工程において外側部材１２を裏向きに台座に載置すれば、そのままの状態でロック装置１０および内側部材を取り付け、開閉部材を組み立てることができ、取付作業を容易にできる。
【００３７】
具体的な操作部材２０およびベース部材２２の取付工程について説明する。作業者は、外側部材１２の裏側から操作部材２０の操作部３６を取付口１２ａに挿入し、裏側フック部５２ｂを取付縁部１２ｇに引っ掛け、位置決めする。次に、作業者は、裏側フック部５２ｂを支点としてベース部材２２を回転させて、一対の係止爪部５４を係止縁部１２ｅに押し込み、一対の係止爪部５４を撓ませる。一対の係止爪部５４は、係止縁部１２ｅを通過すると復元力により拡開して係止縁部１２ｅに係止し、ベース部材２２が外側部材１２に取り付けられる。取付完了状態では、表側フック部５２ａおよび裏側フック部５２ｂは取付縁部１２ｇを挟み、係止爪部５４および基枠部４８は係止縁部１２ｅを挟んでいる。
【００３８】
このように、ネジ等で固定する場合と比べて、フック部５２を引っ掛けて位置決めし、後は係止爪部５４を係止縁部１２ｅに押し込めば取付作業を完了でき、取付作業が容易である。また、ロック装置１０を外側部材１２の裏側から取り付けることで、外側部材１２の表側の意匠面を傷つける可能性を低減できる。
【００３９】
図６は、操作部材２０を開いた際にベース部材２２にかかる荷重について説明するための図である。操作部材２０は、操作部３６を開き方向に引っ張られると、軸部３８の回転中心３８ａで回転する。操作部材２０の開き方向の回転は、操作部材２０の回転止め部４１がベース部材２２のストッパ部５５に当接して止められる。
【００４０】
操作部材２０の回転止め部４１は、キーシリンダ用孔部４６の裏側の縁に形成される。ベース部材２２のストッパ部５５は、フック部５２の根元から立設する壁を切り欠くように形成される。
【００４１】
操作部材２０の開き方向の回転を止める力は、ストッパ部５５から係止爪部５４とフック部５２に入力されて外側部材１２に受け止められる。ベース部材２２において、ストッパ部５５の位置は、係止爪部５４よりフック部５２に近く、係止爪部５４に入力される力はフック部５２に入力される力より小さくなる。これにより、フック部５２より耐荷重性に劣る係止爪部５４に大きな力が入力されることを抑えることができる。
【００４２】
軸部３８は、第１ロッド２６の進退方向においてフック部５２および係止爪部５４の間に位置する。これにより、フック部５２と係止爪部５４の間隔を離すことができ、取付完了状態で外側部材１２に対して安定させ、ガタツキを抑えることができる。
【００４３】
また、係止爪部５４は、第１ロッド２６の進退方向において取付口１２ａと第１支持孔部１２ｃの間に位置する。つまり、係止爪部５４は、取付口１２ａの外側に配置される。これにより、係止爪部を取付口１２ａの縁に係止させる場合と比べて、係止爪部５４をフック部５２や回転止め部４１から遠ざけ、取付完了状態で外側部材１２に対してベース部材２２を安定させ、ガタツキを抑えることができる。
【００４４】
図７は、第１実施例の第１変形例のロック装置１００について説明するための図である。図７には外側部材１２に取り付けた状態のロック装置１００の斜視図を示す。第１変形例のロック装置１００は、図２に示すロック装置１０と比べて、第１ロッド１２６を支持する第１支持孔部６０が外側部材１２ではなく、ベース部材１２２に形成される点で異なる。
【００４５】
ベース部材１２２の第１支持孔部６０は、基枠部４８の裏側に環状に形成され、第１ロッド１２６を挿入される。第１支持孔部６０の内周には、第１ロッド１２６に弾性的に接触して、第１ロッド１２６のガタツキを抑えつつ、第１ロッド１２６の移動をガイドする弾性部６２が設けられる。第１支持孔部６０は、外側部材１２の面直方向、すなわち外側部材１２と内側部材の対向方向において係止爪部５４と重なる位置に設けられる。図４（ａ）に示すベース部材２２では第１ガイド部５８が設けられていた位置に、第１変形例のベース部材１２２では第１支持孔部６０が設けられる。これにより、操作部材２０や取付口１２ａを第１支持孔部６０に近づけ、操作部材２０を運転席側に寄せることができる。
【００４６】
図８は、第１実施例の第２変形例のロック装置２００について説明するための図である。図８（ａ）は開閉部材に取り付けた状態のロック装置２００の断面であって第１ロッド２６の進退方向に沿った断面であり、図８（ｂ）は図８（ａ）に示すロック装置２００の線分Ｃ−Ｃの断面である。
【００４７】
第２変形例のロック装置２００は、図４（ａ）に示すロック装置１０と比べて、外側部材２１２ではなく、内側部材２１４に取り付けられる点で異なる。ロック装置２００のベース部材２２２が内側部材２１４に固定された状態で、操作部材２２０は、ベース部材２２２に軸支され、外側部材２１２の露出口２１２ａから表側に露出する。
【００４８】
ベース部材２２２は、図８（ａ）に示すように内側部材２１４の取付縁部２１４ａに引っ掛けられるフック部２５２と、図８（ｂ）に示すように内側部材２１４の係止縁部２１４ｂに係止する係止爪部２５４とを有する。
【００４９】
図８（ａ）に示すように内側部材２１４の裏側に形成された取付縁部２１４ａは、内側部材２１４の裏面から離間して対向する。第１フック部２５２ａは、取付縁部２１４ａに引っ掛かって、内側部材２１４に接近する方向のベース部材２２２の動きを規制し、第２フック部２５２ｂは、取付縁部２１４ａに引っ掛かって、内側部材２１４から離れる方向のベース部材２２２の動きを規制する。
【００５０】
図８（ｂ）に示すように内側部材２１４の裏側に係止縁部２１４ｂが形成される。係止縁部２１４ｂは、内側部材２１４の裏面に立設する取付座部２１４ｃの座面に孔状に形成される。係止爪部２５４は、支持部２５６に支持され、係止縁部２１４ｂに係止する。係止爪部２５４は、ベース部材２２２の両側に一対形成され、係止爪部２５４を係止する係止縁部２１４ｂも一対形成される。
【００５１】
一対の係止爪部２５４は、離間しており、その間に第１ロッド２６が挿通される。これにより、一対の係止爪部２５４をベース部材２２２に両側に設けることで、取付完了状態のベース部材２２２を安定して係止させつつ、その間に第１ロッド２６を配置することでロック装置２００を薄型化できる。
【００５２】
ロック装置２００の開閉部材への取付工程について説明する。作業者は、ベース部材２２２に操作部材２２０を組み付けたサブアッセンブリを把持し、フック部２５２を取付縁部２１４ａに引っ掛け、フック部２５２を支点としてベース部材２２２を回転させて、内側部材２１４の裏側から係止縁部２１４ｂに向かって係止爪部２５４を押し込み、係止させる。ベース部材２２２および操作部材２２０を内側部材２１４に取り付けた後、回転部材２４、第１ロッド２６、第２ロッド２８を内側部材２１４に取り付け、外側部材２１２を閉じてロック装置２００の取付工程を完了する。
【００５３】
第２変形例のロック装置２００によれば、ロック装置２００の各部材を内側部材２１４の裏側に取り付けることができ、ロック装置２００を取り付けた後は外側部材２１２を閉じるだけでよいため、取付工程を容易にできる。
【００５４】
図９は、第２実施例のロック装置３００について説明するための図である。図９（ａ）は、開閉部材を表側からみたロック装置３００および開閉部材の表面図であり、図９（ｂ）は、開閉部材を裏側からみたロック装置３００および開閉部材の裏面図である。開閉部材は、実際には２枚の板状部材を貼り合わせて、その内部の空間にロック装置３００を収容するが、図９（ｂ）はロック装置３００を覆う開閉部材の裏側の内側部材を省いて図示し、図９に示すロック装置３００では、第１ロッド３２６の一部と第２ロッドは省いて図示している。
【００５５】
図９（ａ）に示す第２実施例のロック装置３００は、図１（ａ）に示す第１実施例のロック装置１０と比べて、操作部材３２０を操作する方向で異なる。すなわち、図１（ａ）に示すロック装置１０では、操作部材２０を車両左右方向に操作したが、図９（ａ）に示すロック装置３００では、操作部材３２０を手前側上方に操作する。一方で、第２実施例のロック装置３００は、第１実施例のロック装置１０と比べて、各部材を開閉部材の外側部材３１２の裏側から取り付ける点で、同じである。
【００５６】
ロック装置３００は、操作部材３２０、ベース部材３２２、回転部材３２４、第１ロッド３２６および第２ロッドを備える。また、ロック装置３００には、第１ロッド３２６および第２ロッドをロックする方向に付勢するバネ部材や、操作部材３２０を閉状態に付勢するバネ部材が設けられる。
【００５７】
図９（ａ）に示すように、外側部材３１２の取付口３１２ａにロック装置３００が取り付けられ、操作部材３２０が外側部材３１２の表側に露出する。ユーザは、外側部材３１２の窪み部１２ｂに手指を入れて操作部材３２０を手前側上方に引っ張って操作し、ロックを解除する。
【００５８】
図９（ｂ）に示すように、回転部材３２４は、ベース部材３２２に収容され、回転可能に支持される。回転部材３２４は、操作部材３２０の回転に応じて回転する。回転部材３２４は、回転部材３２４の回転軸から偏心した突出部３２４ａを有する。回転部材３２４の回転に応じて突出部３２４ａが第１ロッド３２６の受け面３２６ａを押し、第１ロッド３２６を移動させる。
【００５９】
図１０は、図９（ｂ）に示すロック装置３００の線分Ｄ−Ｄの断面図である。回転部材３２４の中心軸部３２８ｂは、ベース部材３２２に軸支される。また、ベース部材３２２の軸部３３８が操作部材３２０の孔状の軸支部３５７に挿入されて、ベース部材３２２が操作部材３２０を回転可能に支持する。
【００６０】
ベース部材３２２は、取付口３１２ａより幅方向外側に張り出すフランジ部３４８を有する。フランジ部３４８は、ベース部材２２２の両側に一対形成される。支持部３５６は、一対のフランジ部３４８の表面からそれぞれ立設し、係止爪部３５４を支持する。係止爪部３５４は、支持部３５６の先端側からフランジ部３４８に向かって延出し、弾性を有する。係止爪部３５４は、フック部３５２より上方に位置する。
【００６１】
係止爪部３５４は、外側部材３１２の裏側に形成された係止縁部３１２ｄに係止し、ベース部材３２２が外側部材３１２の裏面から離れる方向の動きを規制する。係止縁部３１２ｄは、外側部材３１２の裏面に立設する取付座部３１２ｅの座面に孔状に形成される。
【００６２】
図１１は、図９（ｂ）に示すロック装置３００の線分Ｅ−Ｅの断面図である。操作部材３２０の裏面の上端の位置に、操作部材３２０の裏面から突出する伝達部３４０が形成される。伝達部３４０は、回転部材３２４に連結され、操作部材３２０の開き操作に応じて下方に移動し、回転部材３２４を回転させる。
【００６３】
ベース部材３２２は、下方に延出するフック部３５２を有する。フック部３５２は、外側部材３１２の取付口３１２ａを形成する取付縁部３１２ｃに引っ掛けられる。取付縁部３１２ｃは、取付口３１２ａの下端に位置し、窪み部３１２ｂの上端に位置する。
【００６４】
フック部３５２の第１フック部３５２ａは、取付縁部３１２ｃに引っ掛かって、ベース部材３２２が外側部材３１２の表側に外れる方向の動きを規制し、第２フック部３５２ｂは、取付縁部３１２ｃに引っ掛かって、ベース部材３２２が外側部材３１２の裏側に外れる方向の動きを規制する。
【００６５】
作業者は、ベース部材３２２に操作部材３２０を組み付けたサブアッセンブリを把持し、フック部３５２を取付縁部３１２ｃに引っ掛け、フック部３５２を支点としてベース部材３２２を回転させて外側部材３１２の裏側から係止縁部３１２ｄに向かって係止爪部３５４を押し込み、係止させる。ベース部材３２２および操作部材３２０を外側部材３１２に取り付けた後、回転部材３２４、第１ロッド３２６、第２ロッドを外側部材３１２に取り付け、内側部材を閉じてロック装置３００の取付工程を完了する。このように第２実施例のロック装置３００においても、ロック装置３００の各部材を外側部材３１２の裏側から外側部材３１２に取り付けることができ、取付作業を容易にできる。
【００６６】
図１２は、第２実施例の変形例のロック装置４００について説明するための図である。図１２ではロック装置４００、開閉部材の外側部材４１２および内側部材４１４の分解図を示す。ロック装置４００は、操作部材４２０、ベース部材４２２、回転部材４２４、バネ部材４２５、第１ロッド４２６および第２ロッドを有する。なお、図１２に示す開閉部材の外側部材４１２、内側部材４１４および第１ロッド４２６は、操作部材４２０およびベース部材４２２から遠く離れた部分を省き、ロック装置４００の第２ロッドも省いている。
【００６７】
図９（ｂ）に示す第２実施例のロック装置３００外側部材３１２に取り付けられるのに対し、図１２に示す変形例のロック装置４００は、内側部材４１４に取り付けられる。変形例のロック装置４００では、全ての部材を内側部材４１４の裏側に取り付けることができるため、取付作業が容易である。
【００６８】
内側部材４１４は、ベース部材４２２のフック部４５２が引っ掛けられる取付縁部４１４ａと、ベース部材４２２の係止爪部４５４が係止される孔状の係止縁部４１４ｂとを有する。取付縁部４１４ａおよび係止縁部４１４ｂは、上下に離間して、内側部材４１４の裏側に形成される。
【００６９】
操作部材４２０の軸部３８は、ベース部材４２２の軸支部４５７に軸支され、操作部材４２０は、ベース部材４２２に回転可能に支持される。回転部材４２４は、ベース部材４２２に回転可能に支持される。回転部材４２４は、操作部材４２０の操作に応じて回転し、その回転に応じて第１ロッド４２６を進退させる。バネ部材４２５は、第１ロッド４２６がロックする方向に進行するよう回転部材４２４を付勢する。
【００７０】
ベース部材４２２に操作部材４２０、回転部材４２４およびバネ部材４２５が組み付けられてサブアッセンブリを構成する。内側部材４１４に第１ロッド４２６を取り付けた後、サブアッセンブリを内側部材４１４の裏側へ取り付ける。
【００７１】
図１３は、第２実施例の変形例のロック装置４００の断面図である。図１３にはベース部材４２２のフック部４５２および係止爪部４５４を通る上下方向の断面を示す。
【００７２】
第１フック部４５２ａは、取付縁部４１４ａに引っ掛かって、内側部材４１４に接近する方向のベース部材４２２の動きを規制し、第２フック部４５２ｂは、取付縁部４１４ａに引っ掛かって、内側部材４１４から離れる方向のベース部材４２２の動きを規制する。
【００７３】
係止縁部４１４ｂは、内側部材２１４の裏側に孔状に形成される。係止爪部４５４は、支持部４５６に支持され、係止縁部４１４ｂに係止する。支持部４５６は、基枠部４４８の裏面から立設する。フック部４５２および係止爪部４５４の間に第１ロッド４２６が挿通される。
【００７４】
ベース部材４２２に操作部材４２０を組み付けたサブアッセンブリは、フック部４５２を取付縁部４１４ａに引っ掛けた状態で、フック部４５２を支点としてベース部材４２２を回転させて、内側部材４１４の裏側から係止縁部４１４ｂに向かって係止爪部４５４を押し込み、係止させて取り付けられる。
【００７５】
変形例のロック装置４００によれば、ロック装置４００の各部材を内側部材４１４の裏側に取り付けることができ、ロック装置４００を取り付けた後は外側部材４１２を閉じるだけでよいため、取付工程を容易にできる。
【００７６】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００７７】
実施例のロック装置１０では、第１ロッド２６および第２ロッド２８を固定部材のロック孔に係合させる態様を示したが、この態様に限られない。例えば、第１ロッド２６および第２ロッド２８を固定部材の突出部分や窪み部分に係合させてよく、固定部材の壁の縁に係合させてよい。つまり、第１ロッド２６および第２ロッド２８を係合させる面が固定部材にあればよく、第１ロッド２６および第２ロッド２８を係合させる部分を固定部材の被ロック部という。
【００７８】
なお、実施例のロック装置１０では、外側部材１２の取付口１２ａにフック部５２を引っ掛ける態様を示したが、この態様に限られない。例えば、取付口１２ａの代わりに外側部材１２の裏側にフック部５２を引っ掛けるための取付縁部を形成してよい。
【符号の説明】
【００７９】
１０  ロック装置、  １２  外側部材、  １２ａ  取付口、  １２ｂ  窪み部、  １２ｃ  第１支持孔部、  １２ｄ  第２支持孔部、  １２ｅ  係止縁部、  １２ｆ  取付座部、  １２ｇ  取付縁部、  １４  グローブボックス、  ２０  操作部材、  ２２  ベース部材、  ２４  回転部材、  ２６  第１ロッド、  ２６ｂ  第１連結部、  ２６ｃ  受け面、  ２８  第２ロッド、  ２８ｂ  第２連結部、  ３５  基部、  ３６  操作部、  ３８  軸部、  ３８ａ  回転中心、  ４０  伝達部、  ４１  回転止め部、  ４２  側壁部、  ４４  中間壁部、  ４６  キーシリンダ用孔部、  ４８  基枠部、  ５０  挿通部、  ５２  フック部、  ５２ａ  表側フック部、  ５２ｂ  裏側フック部、  ５４  係止爪部、  ５５  ストッパ部、  ５６  支持部、  ５７  軸支部、  ５８  第１ガイド部。
【産業上の利用可能性】
【００８０】
本発明は、開閉部材に取り付けられるロック装置に関する。
【図１】
2017086427.tif 000003
【図２】
2017086427.tif 000004
【図３】
2017086427.tif 000005
【図４】
2017086427.tif 000006
【図５】
2017086427.tif 000007
【図６】
2017086427.tif 000008
【図７】
2017086427.tif 000009
【図８】
2017086427.tif 000010
【図９】
2017086427.tif 000011
【図１０】
2017086427.tif 000012
【図１１】
2017086427.tif 000013
【図１２】
2017086427.tif 000014
【図１３】
2017086427.tif 000015
【国際調査報告】
2017086427.tif 000016
2017086427.tif 000017
2017086427.tif 000018
2017086427.tif 000019